(57)【要約】【課題】  容器内の味噌が少量に成ると取出しずらい、又、味噌の表面が凸凹になり高い所では乾燥し低い所では液体が分離して品質を劣化させる。【解決手段】  本発明は、容器内の味噌の上に置く落し蓋は味噌容器内側面に接触しながら上下自在に移動する。この落し蓋の中央に取り出し口を立ち上げ、落し蓋を下方に押すと味噌は圧迫され開口部に移動し集合する、さらに押すと立ち上げ部位を競り上がる。  容器内の量が少量に成っても圧迫された味噌は取出し口に集合する。又、味噌の表面に落し蓋と中蓋が有り、表面を外気の接触を少なくし味噌の品質を保持できる味噌容器を提供する。【選択図】図１
2018140839.tif 000002
【特許請求の範囲】
【請求項１】
味噌容器の内径が上部から最下部までが同で、容器内側面に接触しながら上下自在に移動出来る落し蓋を味噌の上に置く、この落し蓋の中央に開口部を立ち上げ、落し蓋を下方に押すと容器内の味噌が圧迫され開口部に移動し集合し、さらに押すと開口部よりさらに競り上がり、味噌を取り出しやすくなると共に、落し蓋、中蓋円盤型、又は、中蓋キャップ型により外気との接触が極めて少なく成り、味噌の品質を保持できる発明品。
【発明の詳細な説明】
【技術分野】
【０００１】  本発明は、味噌容器内の味噌の上に落し蓋を置き、その落し蓋の中央に取り出し口を開口しそこに味噌を集合させ、味噌の量が少量でも取り出しやすくする、と共に味噌の劣化を抑止できるように工夫した、味噌を取り出しやすく、品質を保持できる味噌容器に関するものである。
【背景技術】
【０００２】  従来、容器内の味噌をスプーンや味噌取り具を使って取り出していた。
容器内の味噌が少量になると味噌をかき集めが不便であった。
また、味噌の表面が凸凹になり、高いところでは空気にさらされ乾燥し、低いところでは液体が分離して溜まり、味噌の品質を劣化させていた。
【先行技術文献】
【特許文献】
【０００３】
【特許文献１】特開２０００−３１３４２４号公報
【発明の概要】
【発明が解決しようとする課題】
【０００４】  それには次のような問題点があった。
（イ）容器内の味噌を取り出すのに、味噌の残量が少量になると味噌を寄せ集めが面倒で    あった。
（ロ）味噌を取り出すと味噌の表面が凸凹になり、高い部分は乾燥し易く、低い部分には    液体と分離して液体が溜まることになる。
（ハ）市販の味噌容器の表面にはパラフィン紙などの紙で覆うって味噌の乾燥を防いでい    るが、味噌を取り出す度に取り外しと、取り付けが面倒であった。
本発明は、これらの問題点を解決するためになされたものである。
【課題を解決するための手段】
【０００５】（イ）味噌容器は、内径が上部から最下部まで同じ物とする。
（ロ）容器内の味噌の上面に落し蓋を置く、この落し蓋は味噌容器内側面に接触しながら    上下自在に移動することが出来る物である。落し蓋の中央に開口部を設け、その開口    部と同じ内径の中空円筒状の物を垂直に立ち上げる。
（ニ）落し蓋の上の中蓋は次の２種類のいずれかを使用する。
▲１▼落し蓋の上に開口部の外径より若干大きい、中蓋円盤型４−Ａを置く。
▲２▼落し蓋の上に開口部の外径より内径が大きく奥行も開口部より長いコップ状の    物を下向きに伏せた状態の、中蓋キャップ型４−Ｂを置く。
以上を特徴とする味噌を取り出しやすく、品質を保持できる味噌容器である。
【発明の効果】
【０００６】  味噌容器内の味噌を１ヵ所に集めることで、味噌が少量になっても取り出しやすく、また、味噌の表面が平滑で外気に触れることが極めて少なくなり品質維持に有効である。
【図面の簡単な説明】
【０００７】
【図１】  本発明の各部位の斜視図である。
【図２】  本発明のＡ−Ａ部の断面図である。
【図３】  本発明の中蓋円盤型４−Ａを取り除き、味噌取り具６−Ａで味噌を取り出す７−Ａの実施の態様を示した説明図である。
【図４】  本発明の中蓋円盤型４−Ａを下方に押す５と、落し蓋が味噌の上面を下方に押し味噌の内圧が上り開口部に味噌が移動する、さらに押すと開口部より味噌が競り上がる実施の態様を示した説明図である。
【図５】  本発明の落し蓋３に押されて、競り上がった味噌が中蓋円盤型４−Ａに接触し味噌の競り上がりが止まる、実施の態様を示した説明図である。
【図６】  本発明の中蓋キャップ型４−Ｂを下方に押す５ことで、落し蓋が下方に移動し味噌の内圧が上り味噌が開口部に移動し開口部内をせり上がる、実施の態様を示した説明図である。
【図７】  本発明の中蓋キャプ型４−Ｂを下方に押す５と落し蓋３に押されて、競り上がった味噌は落し蓋３の立ち上がり位置を超えてさらに上方に競り上がる、実施の態様を示した説明図である。
【図８】  本発明の中蓋キャップ型４−Ｂを取り除き、味噌取りヘラ６−Ｂで味噌を取り出す７−Ｂ、実施の態様を示した説明図である。
【発明を実施するための形態】
【０００８】  以下、本発明の実施の形態について説明をする。
上部より最下部まで同じ内径の味噌容器（１）の味噌の上に落し蓋（３）を置く。この落し蓋（３）は味噌容器内側面に接触しながら上下に自在に移動することが出来。かつ、中央の開口部には中空円筒状の物を立ち上げる。
この落し蓋（３）の上に、開口部の外径より若干大きい中蓋円盤型（４−Ａ）又は、内径が開口部の外径より大きく、奥行も開口部より長いコップ状の物を下向きに伏せた状態の、中蓋キャップ型（４−Ｂ）を置く。
本発明は以上のような構成である。
本発明の使い方を説明する。
（イ）中蓋円盤型（４−Ａ）又は、中蓋キャップ型（４−Ｂ）を下方に押す（５）、と落      し蓋（３）を下方に押す。
（ロ）落し蓋（３）は下方に移動し、味噌容器（２）内の味噌（１）の上面を下方に押す      。
（ハ）圧迫された味噌（１）は落し蓋（３）の開口部に移動し集合する。
▲１▼中蓋円盤型（４−Ａ）使用の場合、さらに押すと競り上がってきた味噌（１）      が中蓋円盤型（４−Ａ）に当たると味噌（１）の移動は止まる。
▲２▼中蓋キャップ型（４−Ｂ）使用の場合、さらに押すと競り上がってきた味噌（      １）は落し蓋（３）の中央立ち上がり部の高さを超えてさらに競り上がる。
（ニ）味噌（１）を取り出す。
▲１▼中蓋円盤型（４−Ａ）取り除き、味噌取り具（６−Ａ）で味噌を取り出す（７      −Ａ）
▲２▼中蓋キャップ型（４−Ｂ）を取り除き、味噌取りヘラ（６−Ｂ）で味噌を取出      す（７−Ｂ）
（ホ）以上の操作により、本発明の容器内の味噌を一ヵ所に移動し集合することができ、    中蓋円盤型（４−Ａ）又は、中蓋キャップ型（４−Ｂ）によって、味噌（１）の表面    を覆い外気との接触を少なくし味噌の劣化を抑止する。
【符号の説明】
【０００９】１      味噌
２      味噌容器
３      落し蓋
４−Ａ  中蓋円盤型
４−Ｂ  中蓋キャップ型
５      押す
６−Ａ  味噌取り具
６−Ｂ  味噌取りヘラ
７−Ａ  味噌を取り出す
７−Ｂ  味噌を取り出す
【図１】
2018140839.tif 000003
【図２】
2018140839.tif 000004
【図３】
2018140839.tif 000005
【図４】
2018140839.tif 000006
【図５】
2018140839.tif 000007
【図６】
2018140839.tif 000008
【図７】
2018140839.tif 000009
【図８】
2018140839.tif 000010